(57)【要約】【課題】高作動力でも、良好な操作感が得られるクリックばね付シートを提供する。【解決手段】クリックばね付シート１は、ドーム形状のクリックばね４と、クリックばね４が一面に貼り付けられた絶縁性シート２と、ドーム形状のクリックばね７と、クリックばね４，７とが上下に重なるように絶縁性シート２の上面に積層され、クリックばね７が一面に貼り付けられた絶縁性シート５とを有している。２つのクリックばね４，７は同一の形状とし、さらに絶縁性シート２の厚さはクリックばね４の厚さよりも薄くした。この構成により、２つのクリックばね４，７の間にある空間がほとんどなくなり、２つのクリックばね４，７が一体的に同時に反転動作するため、２段階的なクリック感となることがなく良好な操作感触が得られる。【選択図】図４
0003183933.tif 000002
【実用新案登録請求の範囲】
【請求項１】
ドーム形状の第１クリックばねと、前記第１クリックばねが一方の面に貼り付けられた第１シートと、ドーム形状の第２クリックばねと、前記第２クリックばねが一方の面に貼り付けられた第２シートとを有し、前記第２クリックばねは、前記第１クリックばねに対応する位置となるように、前記第１シートの他方の面と前記第２シートの一方の面との間に配設されているクリックばね付シートにおいて、前記第１クリックばねは前記第２クリックばねと同一の形状であり、前記第１シートの厚さは前記第１クリックばねの厚さよりも薄く、前記第１クリックばねと前記第２クリックばねは前記第１シートを挟んで一体的に動作可能となっていることを特徴とするクリックばね付シート。
【請求項２】
前記第１シートの一方の面の前記第１クリックばねが貼り付けられていない部分に第３シートが貼り付けられており、前記第１クリックばねの反転動作時に前記第１クリックばねの下方側に存在する気体が移動できるようにするための気体流通部が、前記第３シートに形成されていることを特徴とする請求項１に記載のクリックばね付シート。
【請求項３】
前記気体流通部は、前記第３シートのシート平面内で対向する２方向にそれぞれ設けられていることを特徴とする請求項２に記載のクリックばね付シート。
【請求項４】
前記第１シート、前記第２シート及び前記第３シートには、前記第３シートの前記気体流通部が設けられていない方向において、一対の穴部が形成されていることを特徴する請求項２または３に記載のクリックばね付シート。
【請求項５】
請求項１〜４のいずれかに記載のクリックばね付シートが取り付けられる基板と、前記基板の前記第１クリックばねに対応する位置に設けられた固定接点部とからなるスイッチ装置。
【考案の詳細な説明】
【技術分野】
【０００１】
本発明は、各種電子機器の入力操作部などに使用されるクリックばね付シート及びスイッチ装置に関するものである。
【背景技術】
【０００２】
近年、携帯電話やポータブルＡＶ機器等のように各種電子機器を携帯して使用するものが増え、小型化、薄型化、軽量化が進められている。
【０００３】
そして、それら電子機器の入力操作部としては、薄型化が図れて、操作感触が良好、かつ安定した電気的な接触が得られるものとして、ドーム状に加工された弾性を有する導電金属薄板からなるクリックばねが絶縁樹脂製のシートに保持されたもの、いわゆるクリックばね付シートが広く使用されるようになっている。
【０００４】
そして、これらの電子機器は小型、薄型でも、高作動力での操作感が得られる入力用パネルスイッチが必要とされており、そのためのクリックばね付シートが求められている。
【０００５】
高作動力を得るための従来のクリックばね付シートとしては、例えば特許文献１が知られている。
【０００６】
以下に図５を用いて、このような従来のクリックばね付シートについて説明する。なお、図面としては構成が理解し易いように厚み方向の寸法を拡大して示している。
【０００７】
図５は従来のクリックばね付シートを用いたスイッチ装置の断面図であり、同図において符号９０２，９０５は外形が略方形に加工形成された可撓性を有する樹脂製の絶縁性シートであり、また符号９０４，９０７はドーム状に加工された弾性を有する導電金属薄板製のクリックばねである。
【０００８】
絶縁性シート９０２の下面に形成された粘着層９０３によって、クリックばね９０４の上部が、固着されている。そして絶縁性シート９０２の上面には、絶縁性シート９０５との間に空間を有してクリックばね９０７が配置されている。前記クリックばね９０７は、クリックばね９０４と上下に重なるように配置され、絶縁性シート９０５の下面に形成された粘着層９０６により、固着されている。
【０００９】
前記のように構成されたクリックばね付シートは、クリックばね９０４に対応する固定接点９１０が配設された配線基板９１１の上面に、絶縁性シート９０２の下面に形成された粘着層９０３で貼り付け装着され用いられる。
【００１０】
このとき、中央固定接点９１０Ａがクリックばね９０４の中央部に所定間隔を空けて対峙し、かつ周辺固定接点９１０Ｂ上に前記クリックばねの９０４の外側下端が載置される。これにより、クリックばねの押下により反転動作をした時に、クリックばね９０４は対応する固定接点９１０とでスイッチとして構成される。
【００１１】
さらに、絶縁性シート９０５の上方に、クリックばね９０４に対応した位置に、下方への凸部９１２Ａが設けられた操作ボタン９１２が載せられて入力パネル用スイッチが構成される。
【００１２】
次に前記のように構成されたクリックばね付シートの動作を説明する。
【００１３】
操作ボタン９１２を押下操作すると、操作ボタン９１２が下方に移動し、凸部９１２Ａ下面に当接している絶縁性シート９０５に押圧力が加わっていく。
【００１４】
このとき絶縁性シート９０５より下方の位置には、絶縁性シート９０２の上面にクリックばね９０７が、同下面にクリックばね９０４が中心位置を合わせて重なるように配置されているため、前記凸部９１２Ａでの押圧力が、それらクリックばね９０７とクリックばね９０４の反転動作力の和よりも大きくなると、クリックばね９０７とクリックばね９０４は反転動作する。
【００１５】
前記反転動作により、絶縁性シート９０２の下面に保持されたクリックばね９０４の中央部下面が、その下部にある中央固定接点９１０Ａに接触し、これにより配線基板９１１の中央固定接点９１０Ａと周辺固定接点９１０Ｂとの間がクリックばね９０４を介して電気的に接続される。
【００１６】
そして、操作ボタン９１２への押下操作力を除くと、クリックばね９０７とクリックばね９０４は自らの弾性復元力で元の上方凸型ドーム状に復元し、クリックばね９０４の中央部下面が中央固定接点９１０Ａより離れ、配線基板９１１の中央固定接点９１０Ａと周辺固定接点９１０Ｂとの間が電気的に非接続状態に戻ると共に、絶縁性シート９０２，９０５及び操作ボタン９１２は、前記弾性復元力によって押し戻されて図５に示す押圧操作前の状態に戻る。
【先行技術文献】
【特許文献】
【００１７】
【特許文献１】特開２００５―２１６７９９号公報
【考案の概要】
【考案が解決しようとする課題】
【００１８】
しかしながら、前記従来のクリックばね付シートは、上方側のクリックばね９０７と下方側のクリックばね９０４の形状が異なる場合があった。また２つのクリックばねの形状が同一であったとしても、９０４，９０７の間に絶縁性シート９０２が介在しているため、そのシート剛性によりクリックばね９０４の円周部近傍の絶縁性シート９０２の曲面形状が、クリックばね９０４の曲面形状よりなだらかになり、クリックばね９０７下部の曲面形状と異なってしまう場合があった。これにより、下方側のクリックばね９０４を保持している絶縁性シート９０２とその上部にあるクリックばね９０７との間に空間が発生し、押下操作時にクリックばね９０７と９０４が時間差で動作することとなり、２段階的なクリック感となるため、良好な操作感ではなかった。
【００１９】
本発明は、上述した課題を解決して、高作動力の操作感にした場合でも、良好な操作感を保つことができるクリックばね付シートを提供するものである。
【課題を解決するための手段】
【００２０】
請求項１に記載のクリックばね付シートは、ドーム形状の第１クリックばねと、前記第１クリックばねが一方の面に貼り付けられた第１シートと、ドーム形状の第２クリックばねと、前記第２クリックばねが一方の面に貼り付けられた第２シートとを有し、前記第２クリックばねは、前記第１クリックばねに対応する位置となるように、前記第１シートの他方の面と前記第２シートの一方の面との間に配設されているクリックばね付シートにおいて、前記第１クリックばねは前記第２クリックばねと同一の形状であり、前記第１シートの厚さは前記第１クリックばねの厚さよりも薄く、前記第１クリックばねと前記第２クリックばねは前記第１シートを挟んで一体的に動作可能となっている、という特徴を有する。
【００２１】
請求項２に記載のクリックばね付シートは、前記第１シートの一方の面の前記第１クリックばねが貼り付けられていない部分に第３シートが貼り付けられており、前記第１クリックばねの反転動作時に前記第１クリックばねの下方側に存在する気体が移動できるようにするための気体流通部が、前記第３シートに形成されている、という特徴を有する。
【００２２】
請求項３に記載のクリックばね付シートは、前記気体流通部は、前記第３シートのシート平面内で対向する２方向にそれぞれ設けられている、という特徴を有する。
【００２３】
請求項４に記載のクリックばね付シートは、前記第１シート、前記第２シート及び前記第３シートには、前記第３シートの前記気体流通部が設けられていない方向において、一対の穴部が形成されている、という特徴を有する。
【００２４】
請求項５に記載のスイッチ装置は、請求項１〜４に記載のクリックばね付シートが取り付けられる基板と、前記基板の前記第１クリックばねに対応する位置に設けられた固定接点部とから構成されている、という特徴を有する。
【考案の効果】
【００２５】
請求項１の発明によれば、第１クリックばね及び第２クリックばねを同一の形状とし、さらに前記２つのクリックばねの間にある第１シートの厚みを第１クリックばねのクリックばねの厚みよりも薄くすることにより、第１シートを挟んでいても従来のクリックばね付シートにあったような前記２つのクリックばねの間にある空間がほとんどなくなり、一体的に反転動作可能となるため、２段階的なクリック感にはならず良好な操作感触が得られる、という効果を奏する。
【００２６】
請求項２の発明によれば、第１クリックばねの下方側に気体流通部が形成されることにより、第１クリックばねの反転動作時に、第１クリックばね下方側の気体がすみやかに移動するため、反転動作が気体の圧力に妨げられることなく行われ操作感を損ねることがない、という効果を奏する。
【００２７】
請求項３の発明によれば、気体流通部が第１クリックばね周辺のシート平面内の対向する２方向にそれぞれ形成されているため、クリックばねの反転動作時に対向する２方向にバランスよく気体を移動させることができる、という効果を奏する。
【００２８】
請求項４の発明によれば、第１シート、第２シート及び第３シートに形成された1対の穴部を位置決めとして使用することで、前記３枚のシートの位置を合わせることができる、という効果を奏する。
【００２９】
請求項５の発明によれば、請求項１〜４記載のクリックばね付きシートをスイッチ装置に使用することにより、高作動力でも操作感触が良好なスイッチ装置を形成できる、という効果を奏する。
【図面の簡単な説明】
【００３０】
【図１】本考案のクリックばね付シートを示す上面図である。
【図２】本考案のクリックばね付シートを示す図で、図１のＡ−Ａ線に            おける断面図である。
【図３】本考案のクリックばね付シートを示す下面図である。
【図４】本考案のクリックばね付シートを用いたスイッチ装置の実施例            を示す断面図である。
【図５】従来のクリックばね付シートとそれを用いたスイッチ装置を示            す断面図である。
【考案を実施するための形態】
【００３１】
以下に、本考案のクリックばね付シートの実施の形態について、図１〜図４を用いて説明する。
【００３２】
［実施の形態］
図１は本考案の一実施形態におけるクリックばね付シートの上面図、図２は同断面図で、図１に示されたＡ−Ａ線における断面を示しており、図３は同下面図である。また、図４は本考案の一実施形態におけるクリックばね付シートを用いたスイッチ装置の断面図である。なお、図面としては構成が理解しやすいように厚み方向の寸法を拡大して示している。
【００３３】
図２において、符号２，５，８は外形が略方形に加工形成された可撓性を有する樹脂製の絶縁性シートであり、また符号４，７は上方凸型のドーム状に加工された弾性を有する導電金属薄板製のクリックばねである。
【００３４】
絶縁性シート２の下面（一方の面）に形成された粘着層３によって、クリックばね４の上部が固着されている。そして、絶縁性シート２の上面には、クリックばね７が配置されている。前記クリックばね７は、クリックばね４と上下に重なるように配置され、絶縁性シート５の下面（一方の面）に形成された粘着層６により固着されている。このとき、粘着層６下面のクリックばね７を固着している以外の部分は、絶縁性シート２の上面に隙間がないように貼り合わせられている。
【００３５】
また、絶縁性シート２とその下面に形成された粘着層３の下側で、クリックばね４が貼り付けられていない部分には、下面に粘着層９を有した絶縁性シート８が貼り合わせられている。そして、絶縁性シート８には図３の下面図に示すように、クリックばね４の直径より大きい穴２１が形成され、絶縁性シート８の平面内の対向する２方向には、それぞれ穴２１から絶縁性シート８の端面部までをつなぎ気体を外部と流通させるための穴である気体流通部２２が形成されている。このとき、クリックばね４の円の中心と絶縁性シート８の穴２１の中心位置が略同じとなるように、絶縁性シート８は粘着層３により固着されている。
【００３６】
前記の構成の中で、クリックばね４，７は同じ形状のものが使用されており、また絶縁性シート２は２つのクリックばねの厚さよりも薄いシートにて構成されている。これにより、クリックばね４の上面側の絶縁性シート２の表面の曲面形状はその上部にあるクリックばね７の下面側の曲面形状と略同形状となるため、クリックばね４，７の間にはほとんど空間がない状態で、絶縁性シート５下面の粘着層６により絶縁性シート２の上面が貼り合わせられている。
【００３７】
さらに、絶縁性シート２，５，８には、気体流通部２２が設けられていない方向において、絶縁性シート２，５，８の位置決めに使用される1対の位置決め用穴部２３が形成されている。このとき絶縁性シート２，５，８のそれぞれ下面側にある粘着層３，６，９にも穴は形成されている。位置決め用穴部２３は、気体流通部２２とクリックばね４，７に接触しない位置で、かつクリックばね４，７を挟んで対向する位置であれば任意の位置に形成できるが、できるだけ略方形状の絶縁性シート２，５，８の対角線上に対向して配置されるのが望ましい。また、1対の位置決め用穴部２３は、一方が丸穴で他方が長穴で形成されるのが望ましい。
【００３８】
以上のように、本考案によるクリックばね付シートは構成されるものである。そして、操作パネル用スイッチ装置を構成する際には、図４の本考案のクリックばね付シートを用いた操作パネル用スイッチ装置の実施例を示す断面図のように、絶縁性シート８の下面の粘着層９で、クリックばね４に対応する固定接点１０（１０Ａ，１０Ｂ）が配設された配線基板１１上に貼り付けて装着される。
【００３９】
そして、絶縁性シート５の上には、２つのクリックばね４，７が上下に重ね合うように配された部位に対応した位置に押圧部材１３が固着されている。このとき、押圧部材１３を絶縁性シート５の上に固着させる方法としては、例えばレーザ溶着等で絶縁性シート５の上面を軟化させて行う方法や、接着剤や粘着剤を介在させて行う方法等がある。
【００４０】
さらに、押圧部材１３の上面には、機器の操作ボタン１２が当接されて操作パネル用スイッチ装置が構成される。
【００４１】
次に前記構成の操作パネル用スイッチ装置の動作について説明する。ここでは、理解しやすいように図４に示される本考案のクリックばね付シートを用いた操作パネル用スイッチ装置の動作として説明する。
【００４２】
操作ボタン１２を押下操作すると、操作ボタン１２が下方に移動していき、押圧部材１３の下面から絶縁性シート５に押圧力が加わっていく。
【００４３】
このとき、絶縁性シート５よりも下方の位置には、絶縁性シート２の上下面に同じ形状からなるクリックばね４，７が中心位置を合わせて重なるように配置され、さらにクリックばね４，７の間にはほとんど空間がないように貼り合わせされているために、押圧部材１３での押圧力が、クリックばね４，７の反転動作力の和よりも大きくなると、クリックばね４，７は一体的に同時に反転動作する。
【００４４】
またこの反転動作の際に、クリックばね４の下方の空間にあった空気は絶縁性シート８に形成された気体流通部２２によりクリックばね４の外側へ速やかに移動するため、反転動作が空気圧により妨げられることなく、スムーズに行われる。
【００４５】
前記反転動作によって、絶縁性シート２の下面に保持されたクリックばね４の中央部下面が、対応する中央固定接点１０Ａに接触し、クリックばね４を介して中央固定接点１０Ａと周辺固定接点１０Ｂとの間が電気的接続状態となる。
【００４６】
次に、前記操作ボタン１２への押下操作力を除くと、クリックばね４，７は自らの弾性復元力で元の上方凸型のドーム状に一体的に同時に反転復帰し、クリックばね４の中央部下面が中央固定接点１０Ａと離れて、中央固定接点１０Ａと周辺固定接点１０Ｂとの間が電気的な絶縁状態に戻る。それと共に、絶縁性シート２，５、押圧部材１３及び操作ボタン１２は、弾性復元力によって押し戻されて図４に示す押圧操作前の状態に戻る。
【００４７】
またこのクリックばね４，７の反転復帰の際、絶縁性シート８に形成された気体流通部２２を通じて、外部よりクリックばね４の下方へ速やかに空気が移動するため、反転復帰動作が空気圧により妨げられることなく、スムーズに行われる。
【００４８】
以下、本実施形態としたことによる効果について説明する。
【００４９】
本実施形態でのクリックばね付シートは、ドーム形状のクリックばね４とクリックばね４が一面に貼り付けられた絶縁性シート２と、ドーム形状のクリックばね７と、クリックばね４，７とが上下に重なるように絶縁性シート２の上面に積層され前記クリックばね７が一面に貼り付けられた絶縁性シート５とを有するクリックばね付シートであり、前記クリックばね４は前記クリックばね７と同一の形状であり、前記絶縁性シート２の厚さは前記２つのクリックばね４の厚さよりも薄くなっており、前記クリックばね４，７とは前記絶縁性シート２を挟んで一体的に動作可能となっている構成とした。
【００５０】
これにより、２つのクリックばね４，７の間に絶縁性シート２を挟んでいても従来のクリックばね付シートにあったような２つのクリックばね４，７の間にある空間がほとんどなくなり、一体的に同時に反転動作可能となっているので、従来のような２段階的なクリック感となることがなく良好な操作感触が得られるという効果を奏する。
【００５１】
また本実施形態でのクリックばね付シートは、絶縁性シート２の下面側に絶縁性シート８が貼り付けられており、クリックばね４の反転動作時に前記クリックばね４の下方側に存在する気体が移動できるようにするための気体流通部２２が前記絶縁性シート８に形成されている構成とした。
【００５２】
これにより、２つのクリックばね４，７の反転動作時にクリックばね４の下方側の気体がすみやかに移動するため、反転動作が空気の圧力に妨げられることなく行われ、操作感を損ねることがない、という効果を奏する。
【００５３】
また本実施形態でのクリックばね付シートは、気体流通部２２は、絶縁性シート２の下面側にある絶縁性シート８のシート平面内で対向する２方向にそれぞれ設けられている構成とした。
【００５４】
これにより、気体流通部２２がクリックばね４の下方周辺のシート平面内の対向する２方向にそれぞれ形成されているため、クリックばね４，７の反転動作時に対向する２方向にバランスよく気体を移動させることができる、という効果を奏する。
【００５５】
また本実施形態でのクリックばね付シートは、絶縁性シート２，５，８に、前記絶縁性シート８に形成された気体流通部２２が設けられていない方向において、１対の位置決め用穴部２３が形成されている構成とした。
【００５６】
これにより、絶縁性シート２，５，８に形成された1対の位置決め用穴部２３を位置決め穴として使用し、３枚のシートの位置を合わせることができる、という効果を奏する。
【００５７】
また本実施形態でのスイッチ装置は、前記のクリックばね付シートが取り付けられる配線基板１１と、前記配線基板１１に前記クリックばね４に対応する位置に設けられた固定接点１０とからなる構成とした。
【００５８】
これにより、本実施形態でのクリックばね付きシートをスイッチ装置に使用することにより、高作動力でも操作感触が良好なスイッチ装置を形成できる、という効果を奏する。
【００５９】
以上のように、本考案の実施形態に係るクリックばね付シートを具体的に説明したが、本考案は上記の実施形態に限定されるものではなく、要旨を逸脱しない範囲で種々変更して実施することが可能である。例えば次のように変形して実施することができ、これらの実施形態も本考案の技術的範囲に属する。
【００６０】
本実施形態においては、絶縁性シート５の上面に押圧部材１３を固着させ、押圧部材１３の上面に機器の操作ボタン１２を当接させる構成としたが、押圧部材１３と操作ボタン１２を一体の部材とし、例えば、操作ボタン１２の下面側に凸部を形成し、前記凸部が絶縁性シート５の上面に当接するように構成しても良い。このとき、操作ボタン１２の下面の凸部は、対応するクリックばね４，７が上下に重ね合うように配された部位に対応した位置に当接される。
【００６１】
また、本実施形態では気体流通部２２は、３枚の絶縁性シート２，５，８で最も下方にある絶縁性シート８に形成したが、必要に応じて粘着層９、及びまたは絶縁性シート２、及びまたはその下面側にある粘着層３、及びまたは絶縁性シート５の下面側にある粘着層６に形成されても良い。
【符号の説明】
【００６２】
１        クリックばね付シート
２        絶縁性シート
３        粘着層
４        クリックばね
５        絶縁性シート
６        粘着層
７        クリックばね
８        絶縁性シート
９        粘着層      
１０      固定接点
１０Ａ    中央固定接点
１０Ｂ    周辺固定接点
１１      配線基板
１２      操作ボタン
１３      押圧部材
２１      穴
２２      気体流通部
２３      位置決め用穴部
９０２    絶縁性シート
９０３    粘着層
９０４    クリックばね
９０５    絶縁性シート
９０６    粘着層
９０７    クリックばね
９１０    固定接点
９１０Ａ  中央固定接点
９１０Ｂ  周辺固定接点
９１１    配線基板
９１２    操作ボタン
９１２Ａ  凸部
【図１】
0003183933.tif 000003
【図２】
0003183933.tif 000004
【図３】
0003183933.tif 000005
【図４】
0003183933.tif 000006
【図５】
0003183933.tif 000007